(57)【要約】      （修正有）【課題】アライメントを容易に行うことができ、設置時間を短縮できる太陽電池モジュール及びこれを含む太陽光発電装置を提供する。【解決手段】太陽電池モジュール１０は、少なくとも一つの太陽電池を含む太陽電池パネル１１０と、太陽電池パネル１１０の外郭部に位置するフレーム１２０とを含み、フレーム１２０はアライメントのためのアライメントマーク１２を含む。また、太陽光発電装置１００は、少なくとも一つの太陽電池を含む太陽電池パネル１１０と、太陽電池パネル１１０の外郭部に位置するフレーム１２０とを含む太陽電池モジュール１０、及び太陽電池モジュール１０が固定部材２０によって固定される支持部材３０、を含み、フレーム１２０は固定部材２０及び支持部材３０のうち少なくとも一つとのアライメントのためのアライメントマーク１２を含む。【選択図】図１
2013229600.tif 000002
【特許請求の範囲】
【請求項１】
少なくとも一つの太陽電池を含む太陽電池パネルと、
前記太陽電池パネルの外郭部に位置するフレームと、を含み、
前記フレームはアライメントのためのアライメントマークを含む太陽電池モジュール。
【請求項２】
前記アライメントマークは、図形、ルーラー、数字、文字及び記号のうち少なくともいずれか一つを含む、請求項１に記載の太陽電池モジュール。
【請求項３】
前記アライメントマークは、固定部材の位置を表示する第１のアライメントマークと、ルーラー形態の第２のアライメントマークと、を含む、請求項２に記載の太陽電池モジュール。
【請求項４】
前記アライメントマークは、前記フレーム上に一体に形成された突出部又は凹部に形成される、請求項１に記載の太陽電池モジュール。
【請求項５】
前記アライメントマークは、前記フレームにレーザーを照射し、又は、プレスを用いて加圧することによって形成される、請求項４に記載の太陽電池モジュール。
【請求項６】
前記アライメントマークは、前記フレームと別途に形成されて前記フレーム上に位置する、請求項１に記載の太陽電池モジュール。
【請求項７】
前記アライメントマークはフィルム上に形成され、前記フィルムが前記フレーム上に付着される、請求項６に記載の太陽電池モジュール。
【請求項８】
前記アライメントマークは、前記太陽電池パネルの側面を覆う前記フレームの側面、前面及び後面のうち少なくとも一つに位置する、請求項１に記載の太陽電池モジュール。
【請求項９】
前記フレームは、前記太陽電池パネルの外郭部が挿入される第１の部分と、前記第１の部分から後面側に延長される第２の部分と、を含む、請求項１に記載の太陽電池モジュール。
【請求項１０】
少なくとも一つの太陽電池を含む太陽電池パネルと、前記太陽電池パネルの外郭部に位置するフレームと、を含む太陽電池モジュールと、
前記太陽電池モジュールが固定部材によって固定される支持部材と、を含み、
前記フレームは、前記固定部材及び前記支持部材のうち少なくとも一つとのアライメントのためのアライメントマークを含む太陽光発電装置。
【請求項１１】
前記アライメントマークは、図形、ルーラー、数字、文字及び記号のうち少なくともいずれか一つを含む、請求項１０に記載の太陽光発電装置。
【請求項１２】
前記アライメントマークは、前記固定部材の位置を表示する第１のアライメントマークと、ルーラー形態の第２のアライメントマークと、を含む、請求項１１に記載の太陽光発電装置。
【請求項１３】
前記アライメントマークは、前記フレーム上に一体に形成された突出部又は凹部に形成される、請求項１０に記載の太陽光発電装置。
【請求項１４】
前記アライメントマークは、前記フレームにレーザーを照射し、又は、プレスを用いて加圧することによって形成される、請求項１３に記載の太陽光発電装置。
【請求項１５】
前記アライメントマークは、前記フレームと別途に形成されて前記フレーム上に位置する、請求項１０に記載の太陽光発電装置。
【請求項１６】
前記アライメントマークはフィルム上に形成され、前記フィルムが前記フレーム上に付着される、請求項１５に記載の太陽光発電装置。
【請求項１７】
前記アライメントマークは、前記太陽電池パネルの側面を覆う前記フレームの側面、前面及び後面のうち少なくとも一つに位置する、請求項１０に記載の太陽光発電装置。
【請求項１８】
前記固定部材が前記フレームの側面及び前面の一部を覆うように形成されたクランプ部材、及び前記クランプ部材と前記支持部材を固定する締結部材を含む、請求項１７に記載の太陽光発電装置。
【請求項１９】
前記クランプ部材は、前記支持部材上に位置する底部と、前記フレームの側面上に位置する側面部と、前記フレームの前面上に位置する係止部と、を含む、請求項１８に記載の太陽光発電装置。
【請求項２０】
前記フレームは、前記太陽電池パネルの外郭部が挿入される第１の部分と、前記第１の部分から後面側に延長される第２の部分と、を含む、請求項１０に記載の太陽光発電装置。
【発明の詳細な説明】
【技術分野】
【０００１】
本発明は、太陽電池モジュール及びこれを含む太陽光発電装置に関し、より詳細には、支持部材上に固定される太陽電池モジュールを含む太陽光発電装置に関する。
【背景技術】
【０００２】
最近、石油や石炭などの既存のエネルギー資源の枯渇が予想されながら、これらに取って代わる代替エネルギーに対する関心が高まっている。そのうち、太陽電池パネルは、太陽光エネルギーを電気エネルギーに変換させる次世代電池として脚光を浴びている。
【０００３】
太陽光発電装置は、太陽電池を備える太陽電池モジュールを架台などに固定することによって形成する。ところが、従来は、複数の太陽電池モジュールのそれぞれを架台とアライメントするのに多くの努力が必要であり、その結果、設置時間が長くなるおそれがあった。
【発明の概要】
【発明が解決しようとする課題】
【０００４】
本実施例は、アライメント（位置合わせ）を容易に行うことができ、設置時間を短縮できる太陽電池モジュール及びこれを含む太陽光発電装置を提供しようとする。
【課題を解決するための手段】
【０００５】
実施例に係る太陽電池モジュールは、少なくとも一つの太陽電池を含む太陽電池パネル、及び前記太陽電池パネルの外郭部に位置するフレーム、を含み、前記フレームはアライメントのためのアライメントマークを含む。
【０００６】
実施例に係る太陽光発電装置は、太陽電池パネルと、前記太陽電池パネルの外郭部に位置するフレームとを含む太陽電池モジュール、及び前記太陽電池モジュールが固定部材によって固定される支持部材、を含み、前記フレームは、前記固定部材及び前記支持部材のうち少なくとも一つとのアライメントのためのアライメントマークを含む。 
【発明の効果】
【０００７】
本実施例によると、太陽電池モジュールのフレームに固定部材又は／及び支持部材とのアライメントのためのアライメントマークが形成され、固定部材又は／及び支持部材とのアライメントを容易に行うことができる。すなわち、アライメントマークを用いて固定部材又は／及び支持部材が位置すべき部分を直観的に知ることができるので、アライメントを迅速に精密に行うことができる。その結果、アライメント特性を向上させ、設置時間を短縮させることができる。
【図面の簡単な説明】
【０００８】
【図１】本発明の実施例に係る太陽光発電装置の斜視図である。
【図２】図１のII―II線断面図である。
【図３】本発明の実施例に係る太陽光発電装置に適用される太陽電池パネルの一例を示した分解斜視図である。
【図４】本発明の実施例に係る多様な方法によってフレームに形成されたアライメントマークの多様な例を示した図である。
【図５】本発明の実施例に係るアライメントマークの多様な形状を示した図である。
【図６】本発明の変形例に係る太陽光発電装置を示した部分断面図である。
【図７】本発明の実施例に係るフレーム上にアライメントマークを含む太陽光発電のための太陽電池モジュールの斜視図である。
【発明を実施するための形態】
【０００９】
以下では、添付の図面を参照して本発明の実施例を詳細に説明する。しかし、本発明がこのような実施例に限定されるものでなく、多様な形態に変形可能であることは当然である。
【００１０】
図面では、本発明を明確かつ簡略に説明するために、説明と関係のない部分の図示を省略し、明細書全体を通して同一又は非常に類似する部分に対しては同一の図面参照符号を使用する。そして、図面では、説明をより明確にするために、厚さ、広さなどを拡大又は縮小して示したが、本発明の厚さ、広さなどが図面に示したものに限定されることはない。
【００１１】
そして、明細書全体で一つの部分が他の部分を「含む」とするとき、特別に反対の記載がない限り、他の部分を排除するのではなく、他の部分をさらに含むことができる。また、層、膜、領域、板などの部分が他の部分「上に」あるとするとき、これは、他の部分の「直ぐ上に」ある場合のみならず、その中間に他の部分が位置する場合も含む。層、膜、領域、板などの部分が他の部分の「直ぐ上に」あるとするとき、中間に他の部分が位置しないことを意味する。
【００１２】
以下、添付の図面を参照して本発明の実施例に係る太陽電池モジュール及び太陽光発電装置を説明する。
【００１３】
図１は、本発明の実施例に係る太陽光発電装置の斜視図で、図２は、図１のII―II線断面図である。
【００１４】
図１及び図２を参照すると、本実施例に係る太陽光発電装置１００は、太陽エネルギーを電気エネルギーに変換する太陽電池モジュール１０と、太陽電池モジュール１０が固定部材２０によって固定される支持部材３０とを含む。このとき、本実施例において、太陽電池モジュール１０は、支持部材３０及び固定部材２０の少なくともいずれか一つとのアライメントのためのアライメントマーク１２を含むことができる。以下では、これをより詳細に説明する。
【００１５】
本実施例において、太陽電池モジュール１０は、太陽電池パネル１１０と、太陽電池パネル１１０の外郭部に位置するフレーム１２０とを含む。図面に示していないが、太陽電池モジュール１０の後面にはジャンクションボックスを位置させることができる。このようなジャンクションボックスは、太陽電池パネル１１０から生成された電気エネルギーを充電及び放電させるキャパシタ部、及び電気の逆流を防止するダイオードなどの回路素子などを含むことができる。
【００１６】
太陽電池パネル１１０は、一つ又は複数の太陽電池を含むことができる。一例として、太陽電池パネル１１０は、シリコン太陽電池パネル、色素増感太陽電池パネル、化合物半導体太陽電池、タンデム型太陽電池パネル方式の太陽電池を含むことができる。
【００１７】
以下では、図３を参照してシリコン太陽電池パネル方式の太陽電池１１４ａを含む太陽電池パネル１１０を説明する。図３は、本発明の実施例に係る太陽光発電装置に適用される太陽電池パネルの一例を示した分解斜視図である。
【００１８】
図３を参照すると、本実施例に係る太陽電池パネル１１０は、前面基板１１１と後面基板１１２との間に位置する一つ又は複数の太陽電池ストリング１１４を含むことができる。太陽電池ストリング１１４は、直列、並列又は直並列に連結された複数の太陽電池１１４ａを含む。前面基板１１１と太陽電池ストリング１１４との間に第１の密封フィルム１１８を位置させ、太陽電池ストリング１１４と後面基板１１２との間に第２の密封フィルム１１９を位置させることができる。
【００１９】
前面基板１１１は、外部の衝撃などから太陽電池１１４ａを保護し、太陽光を透過させるために強化ガラスで形成されることが望ましい。このとき、前面基板１１１としては、太陽光の反射を防止し、太陽光の透過率を高めるために鉄分が少なく含まれた低鉄分強化ガラスを使用することができる。後面基板１１２は、太陽電池１１４ａの裏面で太陽電池１１４ａを保護する層であって、防水、絶縁及び紫外線遮断の機能をする。後00面基板１１２はＴＰＴ（Ｔｅｄｌａｒ／ＰＥＴ／Ｔｅｄｌａｒ）タイプであり得るが、これに限定されることはない。また、後面基板１１２は、前面基板１１１側から入射された太陽光を反射して再利用できるように反射率に優れた材質で形成することができる。しかし、本発明がこれに限定されることはなく、後面基板１１２を、太陽光が入射され得る透明材質で形成することによって、両面太陽電池モジュール１０を具現することもできる。
【００２０】
太陽電池１１４ａは、第１の導電型のシリコン基板と、シリコン基板上に形成され、第１の導電型と反対の導電型を有する第２の導電型半導体層と、第２の導電型半導体層の一部面を露出させる少なくとも一つ以上の開口部を含み、第２の導電型半導体層上に形成される反射防止膜と、少なくとも一つ以上の開口部を通して露出した第２の導電型半導体層の一部面に接触する前面電極と、シリコン基板の後面に形成された後面電極とを含むことができる。しかし、本発明がこれに限定されることはなく、上述したように、他の方式の太陽電池１１４ａが適用され得ることは当然である。
【００２１】
このような太陽電池１１４ａは、リボン１１４ｂによって複数が互いに電気的に連結されることによって太陽電池ストリング１１４を構成する。そして、複数の太陽電池ストリング１１４がある場合、太陽電池ストリング１１４はバスリボン１１５によって電気的に連結することができる。しかし、本発明がこれに限定されることはなく、太陽電池１１４ａの種類及び方式によって一つの太陽電池１１４ａを備えることもできる。
【００２２】
第１及び第２の密封フィルム１１８、１１９は、太陽電池１１４ａに悪影響を及ぼすおそれがある水分や酸素などを遮断する役割をするもので、多様な物質からなり得る。一例として、第１及び第２の密封フィルム１１８、１１９は、エチレン酢酸ビニル共重合体樹脂（ＥＶＡ）フィルムであり得る。しかし、本発明がこれに限定されることはなく、多様な種類及び方式の太陽電池１１４ａを適用することができ、これを結合する多様な方式を適用することができる。
【００２３】
上述したように多様な層で構成された太陽電池パネル１１０を安定的に固定及び結束するために、図１及び図２に示したように、太陽電池パネル１１０を固定及び結束するフレーム１２０が位置する。
【００２４】
一例として、本実施例のフレーム１２０は、太陽電池パネル１１０の少なくとも一部が挿入される第１の部分１２２と、第１の部分１２２から外部に向かって延長される第２の部分１２４とを含むことができる。
【００２５】
より具体的に、第１の部分１２２は、太陽電池パネル１１０の受光面に位置した前面部１２２ａと、太陽電池パネル１１０の側面に位置した側面部１２２ｂと、太陽電池パネル１１０の後面に位置した後面部１２２ｃとが互いに連結され、この内部に太陽電池パネル１１０の外郭部を位置させることができる。一例として、第１の部分１２２は「コ」字状又は「Ｕ」字状を有することができる。本実施例では、第１の部分１２２が太陽電池パネル１１０の外郭部全体を覆う場合を示しているが、本発明がこれに限定されることはない。したがって、第１の部分１２２が太陽電池パネル１１０の一部のみを覆う形態などに多様に変形可能である。
【００２６】
第２の部分１２４は、太陽電池パネル１１０と垂直な垂直部１２４ａと、太陽電池パネル１１０と平行な水平部１２４ｂとを含むことができる。これによって、第２の部分１２４は、一例として、「Ｌ」字状を有することができる。
【００２７】
本実施例では、フレーム１２０の側面（すなわち、側面部１２２ｂ又は／及び垂直部１２４ａ）に支持部材３０及び／又は固定部材２０とのアライメントのためのアライメントマーク１２を含むことができるが、これについては、固定部材２０及び支持部材３０を説明した後で詳細に説明する。
【００２８】
このような太陽電池モジュール１０は、固定部材２０によって支持部材３０（いわゆる、「架台」、「支持台」、「設置フレーム」など）に固定される。
【００２９】
支持部材３０は、太陽電池モジュール１０を固定及び支持可能な程度の剛性を有する物質（一例として、金属又は合金物質）で構成することができる。
【００３０】
図面において、支持部材３０は、一方向に沿って長く連結されるバー状を有し、太陽電池モジュール１０の上部側及び下部側にそれぞれ一つずつ位置する場合を例示した。しかし、本発明がこれに限定されることはない。したがって、支持部材２０が板状を有することもでき、各太陽電池モジュール１０に対応する個数を一つ又は三つ以上などに多様に変形可能である。
【００３１】
支持部材３０に位置する固定部材２０は、支持部材３０上で互いに間隔を置いて離隔させることができる。これは、太陽電池モジュール１０の両側に固定するためであって、 固定部材２０は、一つの支持部材３０上で太陽電池モジュール１０の幅だけ離隔するように位置させることができる。
【００３２】
本実施例では、固定部材２０がフレーム１２０の側面及び前面の一部を覆うように形成されたクランプ部材２１０と、クランプ部材２１０と支持部材３０を固定する締結部材２２０とを含むことができる。
【００３３】
このとき、クランプ部材２１０は、両側に太陽電池モジュール１０がそれぞれ一つずつ挿入されるように、両側にそれぞれ係止部２１６が備えられた構造を有することができる。より正確には、支持部材３０上に密着する底部２１２と、底部２１２の両側からそれぞれ延長される側面部２１４と、各側面部２１４から折り曲げられ、支持部材３０と平行に形成される係止突起２１６とを備えることができる。
【００３４】
締結部材２２０は、クランプ部材２１０と支持部材３０の締結及び固定のための多様な構造を有することができる。本実施例において、締結部材２２０は、クランプ部材２１０及び支持部材３０を貫通するねじ部材２２２と、このねじ部材２２２を固定するためのナット部材２２４とを含む。このとき、クランプ部材２１０の底部２１２には、ねじ部材２２２の通過のためのマウンティングホールを形成することができる。
【００３５】
しかし、本発明がこれに限定されることはない。したがって、変形例として、図６に示したように、支持部材３０に支持部材３０を貫通しないホール２２２ａが形成され、ねじ部材２２２がクランプ部材２１０のマウンティングホール及び支持部材３０のホール２２２ａに挿入され、支持部材３０を貫通しないように締結されることも可能である。この場合は、ナット部材（図２の参照符号２２４）を別途に備えなくてもよい。
【００３６】
本実施例においては、固定部材２０としてクランプ部材２１０と締結部材２２０を例示したが、本発明がこれに限定されることはない。したがって、クランプ部材２１０を使用せずに締結部材２２０のみを使用する構造、締結部材２２０を使用しない構造（一例として、嵌め結合構造）などを全て固定部材２０と称することができる。さらに、クランプ部材２１０及び締結部材２２０なしに接着剤などを用いて太陽電池モジュール１０及び支持部材３０を固定する場合、接着剤が固定部材２０になり得る。すなわち、固定部材２０は、太陽電池モジュール１０及び支持部材３０を固定する多様な構成を全て含むことができる。
【００３７】
本実施例においては、太陽電池モジュール１０に固定部材２０又は／及び支持部材３０とのアライメントのためのアライメントマーク１２が形成され、固定部材２０又は／及び支持部材３０とのアライメントを容易に行えるようにする。すなわち、アライメントマーク１２を用いて固定部材２０又は／及び支持部材３０が位置すべき部分を直観的に知ることができるので、これらのアライメントを迅速に精密に行えるようにする。一方、従来は、このようなアライメントマークが備えられておらず、各太陽電池モジュールを支持部材にアライメントするときに多くの時間が必要となったり、アライメントが精密でないという問題があった。
【００３８】
ここで、アライメントマーク１２とは、円形、多角形、矢印、その他の多様な図形のみならず、数字を含むルーラー（定規）、数字を含まないルーラー（定規）、数字、文字、記号などを全て称するものである。図１では、一例として、数字を含まないルーラーをアライメントマーク１２として使用した場合を例示した。しかし、本発明がこれに限定されることはないので、アライメントマーク１２の多様な変形例を後で再び説明する。
【００３９】
このようなアライメントマーク１２はフレーム１２０に形成することができる。そうすると、光電変換が実質的に起きる太陽電池パネル１１０に他の影響を及ぼすことを防止することができる。より具体的に、太陽電池パネル１１０の側面を覆うフレーム１２０の側面部１２２ｂにアライメントマーク１２を形成することができる。そうすると、太陽光が入射される前面には影響を及ぼさない状態で固定部材２０及び支持部材３０とのアライメントを容易に行うことができる。
【００４０】
本実施例において、アライメントマーク１２は、多様な方法によってフレーム１２０に形成することができる。図４は、本発明の実施例に係る多様な方法によってフレーム１２０に形成されたアライメントマーク１２の多様な例を示した図である。
【００４１】
一例として、アライメントマーク１２は、フレーム１２０の側面にレーザーを照射して該当の部分をエッチングすることによって形成することができる。そうすると、図４の（ａ）に示したように、アライメントマーク１２がフレーム１２０と一体に形成され、フレーム１２０の一部がエッチングされた凹部の形態を有することができる。又は、フレーム１２０にプレス金型による金属加工を行うことによってアライメントマーク１２を形成することができる。そうすると、図４の（ａ）に示したように、アライメントマーク１２がフレーム１２０と一体に形成され、フレーム１２０の一部が陥没して形成される凹部の形態を有することができる。又は、図４の（ｂ）に示したように、アライメントマーク１２がフレーム１２０と一体に形成され、フレーム１２０の一部が突出して形成される突出部の形態を有することができる。
【００４２】
このようにアライメントマーク１２がフレーム１２０と一体に形成され、アライメントマーク１２がフレーム１２０から離脱する問題を根本的に防止することができる。また、アライメントマーク１２を永久的に使用することができる。
【００４３】
又は、アライメントマーク１２は、フレーム１２０と別途に形成されてフレーム１２０上に位置することも可能である。例えば、図４の（ｃ）に示したように、アライメントマーク１２は、フレーム１２０上に付着されたフィルム４２上にインクなどによって表示することができる。このようにアライメントマーク１２をフレーム１２０とは異なるフィルム４２上に形成すると、既存に使用していたフレーム１２０上に容易に付着することができ、活用可能性を向上させることができる。又は、図４の（ｄ）に示したように、アライメントマーク１２は、フレーム１２０上にインクなどを用いて形成することもできる。
【００４４】
以下では、再び図１及び図２を参照して、本実施例に係る太陽光発電装置１００の結合方法を説明する。支持部材３０、クランプ部材２１０の側面部２１４及び係止部２１６によって形成された空間に太陽電池モジュール１０の外郭部を挿入する。太陽電池モジュール１０の側面部１２２ｂに形成されたルーラー形態のアライメントマーク１２を見ながら太陽電池モジュール１０を移動させ、支持部材３０及び固定部材２０が位置すべき目盛りに位置させる。
【００４５】
このように、本実施例では、太陽電池モジュール１０の側面部に位置するアライメントマーク１２を用いて太陽電池モジュール１０、固定部材２０及び支持部材３０のアライメント位置を容易かつ正確に知ることができる。その結果、アライメントを容易に行うことができ、設置時間を短縮させ、設置時の便宜を図ることができる。
【００４６】
上述した実施例では、ルーラー形状のアライメントマーク１２を例示したが、本発明がこれに限定されることはない。多様な形状のアライメントマーク１２を図５を参照して説明する。図５では、一例として、フレーム１２０上にアライメントマーク１２がインクなどによって表示された場合を例示したが、アライメントマーク１２が図４の（ａ）〜（ｃ）に示した形態を有し得ることは当然である。
【００４７】
図５の（ａ）に示したように、アライメントマーク１２は、固定部材２０の位置を示す「Ｃｌａｍｐ」という文字と共に、固定部材２０（より具体的には、クランプ部材２１０）の境界を示す「［」及び「］」の記号を表示した第１のアライメントマーク１２ａと、数字のないルーラー形態である第２のアライメントマーク１２ｂとを使用することができる。これによると、ルーラー形態の第２のアライメントマーク１２ｂを用いて太陽電池モジュール１０と支持部材３０の位置を大略的にアライメントした後、第１のアライメントマーク１２ａを用いて固定部材２０、より正確には、クランプ部材２１０の位置を正確にアライメントした後で固定することができる。すなわち、互いに異なる形状の第１のアライメントマーク１２ａ及び第２のアライメントマーク１２ｂを備えることによって、太陽電池モジュール１０、固定部材２０及び支持部材３０のアライメント特性をより向上させることができる。
【００４８】
このとき、他の変形例として、図５の（ｂ）に示したように、ルーラー形態の第２のアライメントマーク１２ｂを上部及び下部にそれぞれ表示することができ、ルーラーが数字を含むようにすることができる。このとき、他の実施例として、第２のアライメントマーク１２ｂは、上部又は下部の一つのみに数字を含むルーラーを備えることもできる。そうすると、支持部材３０とのアライメント特性をより向上させることができる。又は、図５の（ｃ）に示したように、ルーラー形態の第２のアライメントマーク１２ｂが上部と下部で互いに異なる単位を有することもできる。一例として、図面においては、上部ではミリメートル（mm）単位を使用し、下部ではインチ（ｉｎｃｈ）単位を使用した。そうすると、多様な単位を使用する分野又は国家で使用可能であり、活用可能性を向上させることができる。
【００４９】
更に他の変形例として、図５の（ｄ）に示したように、第１のアライメントマーク１２ａの形態を変形させることができる。すなわち、四角形と矢印などを使用して固定部材２０の位置をより明確にすることができる。
【００５０】
このように、アライメントマーク１２の具体的な形状は多様に変形可能である。したがって、多様な図形、記号、数字、文字、ルーラーなどを用いてアライメントを容易にするアライメントマーク１２であれば、本発明に属するものと言えるだろう。
【００５１】
上述した実施例では、固定部材２０が太陽電池モジュール１０の側面間に位置する場合を例示したが、本発明がこれに限定されることはない。したがって、固定部材２０の位置によって、図７に示したように、フレーム１２０の後面などにアライメントマーク１２を形成したり、又は、フレーム１２０の前面にアライメントマーク１２を形成することもできる。
【００５２】
上述した特徴、構造、効果などは、本発明の少なくとも一つの実施例に含まれるものであって、必ずしも一つの実施例のみに限定されるものではない。さらに、各実施例で例示された特徴、構造、効果などは、各実施例の属する分野で通常の知識を有する者によって他の各実施例に対しても組み合わせたり変形して実施可能である。したがって、このような組み合わせと変形と関係した各内容は、本発明の範囲に含まれるものと解釈しなければならないだろう。
【符号の説明】
【００５３】
１００    太陽光発電装置
１０    太陽電池モジュール
１２    アライメントマーク
２０    固定部材
３０    支持部材
【図１】
2013229600.tif 000003
【図２】
2013229600.tif 000004
【図３】
2013229600.tif 000005
【図４】
2013229600.tif 000006
【図５】
2013229600.tif 000007
【図６】
2013229600.tif 000008
【図７】
2013229600.tif 000009